(57)【要約】【課題】鋼製の床梁の上面に床材を直接固定する床構造において、施工を容易にする。【解決手段】床梁１の上面に建築用床パネル２を直接固定する床構造において、前記床梁１は、鋼製のラチス梁１ａと、このラチス梁１ａの上面に設けられた木材１ｂと、を備え、前記建築用床パネル２を、前記木材１ｂに当接した状態で、該木材１ｂに前記建築用床パネル２の上面から打込まれるか又はねじ込まれた止着材３によって固定する。【選択図】図１
2006214238.tif 000002
【特許請求の範囲】
【請求項１】
床梁の上面に床材を直接固定する床構造において、
前記床梁は、鋼製の床梁本体と、この床梁本体の上面に設けられた木材と、を備え、
前記床材は、前記木材に当接した状態で、該木材に前記床材の上面から打込まれるか又はねじ込まれた止着材によって固定されていることを特徴とする床構造。
【請求項２】
前記木材は、前記床梁本体に予め固定されていることを特徴とする請求項１に記載の床構造。
【請求項３】
前記床梁本体は、形鋼であることを特徴とする請求項１又は２に記載の床構造。
【請求項４】
前記床梁本体は、ラチス梁であることを特徴とする請求項１又は２に記載の床構造。
【請求項５】
前記床梁は、基礎と基礎との間に架設されていることを特徴とする請求項１〜４のいずれか一項に記載の床構造。
【請求項６】
前記床材は、矩形枠状に組み立てられた枠材を備える建築用床パネルであり、
この建築用床パネルは、前記木材の上に前記枠材が設置された状態で、前記木材に固定されていることを特徴とする請求項１〜５のいずれか一項に記載の床構造。
【発明の詳細な説明】
【技術分野】
【０００１】
本発明は、床梁の上面に床材を直接固定する床構造に関する。
【背景技術】
【０００２】
従来より、布基礎等の基礎に架設された鋼製の床梁の上面に床材を設置する床構造が知られている（特許文献１参照）。この床構造は、ボルトや金型を介して、床材を床梁に固定するものである。
【０００３】
一方、寒冷地等の木材が痩せて撓み易い地域においては、図３に示すように、床材２２の上からボルト２３を挿入し、このボルト２３を床梁２１に設けたスプリングワッシャー２３ａ及びナット２３ｂに螺合して固定する床構造が採用されることがある。この床構造は、経年変化によって木製の床材２２に撓みが生じると、ボルト２３の増し締めをして撓みを修正することができるという利点がある。
【特許文献１】特開平０８−２７９３２号公報
【発明の開示】
【発明が解決しようとする課題】
【０００４】
ここで、図３に示す床構造を寒冷地以外で適用する場合には、寒冷地に比べて床材２２の撓みが小さいためボルト２３の増し締めをする必要はない。しかしながら、床材２２を床梁２１に固定する際に作業員が床下においてナット２３ｂを固定する必要があり、施工の際に作業員に負担がかかるという問題があった。
【０００５】
本発明の課題は、鋼製の床梁の上面に床材を直接固定する床構造において、施工を容易にすることである。
【課題を解決するための手段】
【０００６】
以上の課題を解決するため、請求項１に記載の発明は、例えば図１，２に示すように、床梁１の上面に床材（例えば、建築用床パネル２）を直接固定する床構造において、
前記床梁１は、鋼製の床梁本体（例えば、ラチス梁１ａ、Ｉ形鋼１１ａ）と、この床梁本体（例えば、ラチス梁１ａ、Ｉ形鋼１１ａ）の上面に設けられた木材１ｂと、を備え、
前記床材（例えば、建築用床パネル２）は、前記木材１ｂに当接した状態で、該木材１ｂに前記床材（例えば、建築用床パネル２）の上面から打込まれるか又はねじ込まれた止着材３によって固定されていることを特徴としている。
【０００７】
請求項１に記載の発明によれば、床材（例えば、建築用床パネル２）は、鋼製の床梁本体（例えば、ラチス梁１ａ、Ｉ形鋼１１ａ）の上面に設けられた木材１ｂに当接した状態で、床材（例えば、建築用床パネル２）の上面から木材１ｂに固定される。よって、床材（例えば、建築用床パネル２）を床梁１に固定するには、床材（例えば、建築用床パネル２）の上から木材１ｂに止着材３を打込むか又はねじ込むだけでよい。さらに、止着材３は、木材１ｂに向かって打込むか又はねじ込めばよく、止着材３の位置に高い精度は要求されない。従って、施工が容易になる。
【０００８】
請求項２に記載の発明は、請求項１に記載の床構造において、例えば図１，２に示すように、前記木材１ｂは、前記床梁本体（例えば、ラチス梁１ａ、Ｉ形鋼１１ａ）に予め固定されていることを特徴としている。
【０００９】
請求項２に記載の発明によれば、木材１ｂは床材本体（例えば、ラチス梁１ａ、Ｉ形鋼１１ａ）に予め固定されているため、現場での作業効率が良くなる。
【００１０】
請求項３に記載の発明は、請求項１又は２に記載の床構造において、例えば図２に示すように、前記床梁本体（例えば、Ｉ形鋼１１ａ）は、形鋼（例えば、Ｉ形鋼１１ａ）であることを特徴としている。
【００１１】
請求項３に記載の発明によれば、床梁本体（例えば、Ｉ形鋼１１ａ）は形鋼（例えば、Ｉ形鋼１１ａ）であるため、床梁１の鉛直荷重に対する強度が大きくなり、床梁１が撓みにくくなる。従って、床材（例えば、建築用床パネル２）の下方向への撓みを防ぐことができる。
【００１２】
請求項４に記載の発明は、請求項１又は２に記載の床構造において、例えば図１に示すように、前記床梁本体（例えば、ラチス梁１ａ）は、ラチス梁１ａであることを特徴としている。
【００１３】
請求項４に記載の発明によれば、床梁本体（例えば、ラチス梁１ａ）はラチス梁１ａであるため、床梁１の鉛直荷重に対する強度が大きくなり、床梁１が撓みにくくなる。従って、床材（例えば、建築用床パネル２）の下方向への撓みを防ぐことができる。
【００１４】
請求項５に記載の発明は、請求項１〜４のいずれか一項に記載の床構造において、前記床梁１は、基礎と基礎との間に架設されていることを特徴としている。
【００１５】
請求項５に記載の発明によれば、床梁１は基礎と基礎との間に架設されているため、床梁１及び床板（例えば、建築用床パネル２）が沈下したり傾斜することを防ぐことができる。
【００１６】
請求項６に記載の発明は、請求項１〜５のいずれか一項に記載の床構造において、例えば図１，２に示すように、前記床材（例えば、建築用床パネル２）は、矩形枠状に組み立てられた枠材２ｂを備える建築用床パネル２であり、
この建築用床パネル２は、前記木材１ｂの上に前記枠材２ｂが設置された状態で、前記木材１ｂに固定されていることを特徴としている。
【００１７】
請求項６に記載の発明によれば、木材１ｂは建築用床パネル２であるため、現場での作業効率が良くなる。また、止着材３は建築用床パネル２が有する枠材２ｂを介して木材１ｂへと打込まれるか又はねじ込まれるため、建築用床パネル２を床梁１に確実に固定することができる。
【発明の効果】
【００１８】
本発明によれば、床材を床梁に固定するには、床材の上から木材に止着材を打込むか又はねじ込むだけでよい。また、止着材は、木材に向かって打込むか又はねじ込めばよく、止着材の位置に高い精度は要求されない。従って、施工が容易になる。
【発明を実施するための最良の形態】
【００１９】
以下、図を参照して、本発明に係る床構造の第１の実施形態を詳細に説明する。
（実施形態１）
図１は、基礎（図示せず）の上部に設けられた床構造を示すものである。この床構造は、床梁１と、この床梁１の上面に直接固定された建築用床パネル２とを備えている。
【００２０】
図１（ａ）に示すように、床梁１は、布基礎等の基礎に架設されており、床材本体であるラチス梁１ａと、このラチス梁１ａの上面に設けられた木材１ｂとを備えている。ラチス梁１ａは、その上下に鋼板からなる上部フランジ１ｃ及び下部フランジ１ｄを有しており、この上部フランジ１ｃの上面に、長尺な角材である木材１ｂが鋼板釘等の止着材（図示せず）によって固定されている。
【００２１】
建築用床パネル２は、矩形枠状に組み立てられた枠材２ｂの一面に、面材２ａを貼設して形成される。また、これらの建築用床パネル２は、木材１ｂの上に枠材２ｂが設置された状態で、建築用床パネル２の上面からビス等の止着材３によって木材１ｂに固定されている。
【００２２】
次に、以上のように構成される床構造の施工方法について詳細に説明する。
まず、布基礎等の基礎に床梁１を架設する。床梁１のラチス梁１ａには、あらかじめその上部フランジ１ｃの上面に木材１ｂを載置した状態で鋼板釘等の止着材によって木材１ｂを固定しておく。
【００２３】
また、ラチス梁１ａには、その両端に断面Ｌ字形のプレート（図示せず）を溶接しておき、これらのプレートを基礎の上面及び側面に当接させた状態でコンクリートビス等によって固定する。このとき、床梁１の上面と基礎の上面が略同じ高さになるようにする。
【００２４】
次に、床梁１と隣り合う床梁１との間に建築用床パネル２を架け渡す。このとき、床梁１の木材１ｂの上面には、建築用床パネル２の枠材２ｂが設置されるようにする。そして、建築用床パネル２の上面から木材１ｂへとビス等の止着材３をねじ込み、建築用床パネル２を床梁１に固定する。
【００２５】
なお、この建築用床パネル２は、予め芯材によって矩形枠状に形成された枠材２ｂの片面に面材２ａを貼設して形成しておく。
【００２６】
第１の実施形態によれば、建築用床パネル２は、鋼製のラチス梁１ａの上面に設けられた木材１ｂに当接した状態で、建築用床パネル２の上面から木材１ｂに固定される。よって、建築用床パネル２を床梁１に固定するには、建築用床パネル２の上から木材１ｂに止着材３を打込むか又はねじ込むだけでよい。さらに、止着材３は、木材１ｂに向かって打込むか又はねじ込めばよく、止着材３の位置に高い精度は要求されない。従って、施工が容易になる。
【００２７】
また、木材１ｂは建築用床パネル２であるため、現場での作業効率が良くなる。さらに、止着材３は建築用床パネル２が有する枠材２ｂを介して木材１ｂへと打込まれるか又はねじ込まれるため、建築用床パネル２を床梁１に確実に固定することができる。
【００２８】
また、床梁本体はラチス梁１ａであるため、床梁１の鉛直荷重に対する強度が大きくなり、床梁１が撓みにくくなる。従って、建築用床パネル２の下方向への撓みを防ぐことができる。さらに、木材１ｂはラチス梁１ａに予め固定されているため、現場での作業効率が良くなる。
【００２９】
また、床梁１は基礎と基礎との間に架設されているため、床梁１及び建築用床パネル２が沈下したり傾斜することを防ぐことができる。
【００３０】
（実施形態２）
以下、図を参照して、本発明に係る床構造の第２の実施形態を詳細に説明する。図２は、基礎（図示せず）の上部に設けられた床構造を示すものである。この床構造は、床梁１と、この床梁１の上面に直接固定された建築用床パネル２とを備えている。
【００３１】
図２（ａ）に示すように、床梁１は、布基礎等の基礎に架設されており、床材本体であるＩ形鋼１１ａと、このＩ形鋼１１ａの上面に設けられた木材１ｂとを備えている。Ｉ形鋼１１ａは、その上下に上部フランジ１１ｃ及び下部フランジ１１ｄを有しており、この上部フランジ１１ｃの上面に、長尺な角材である木材１ｂが鋼板釘等の止着材（図示せず）によって固定されている。
【００３２】
なお、その他の構成及び施工方法については、第１の実施形態と同様であるため、その詳細な説明については省略する。
【００３３】
第２の実施形態によれば、建築用床パネル２は、鋼製のＩ形鋼１１ａの上面に設けられた木材１ｂに当接した状態で、建築用床パネル２の上面から木材１ｂに固定される。よって、建築用床パネル２を床梁１に固定するには、建築用床パネル２の上から木材１ｂに止着材３を打込むか又はねじ込むだけでよい。さらに、止着材３は、木材１ｂに向かって打込むか又はねじ込めばよく、止着材３の位置に高い精度は要求されない。従って、施工が容易になる。
【００３４】
また、止着材３は建築用床パネル２が有する枠材２ｂを介して木材１ｂへと打込まれるか又はねじ込まれるため、建築用床パネル２を床梁１に確実に固定することができる。さらに、木材１ｂは建築用床パネル２であるため、現場での作業効率が良くなる。
【００３５】
また、床梁本体はＩ形鋼１ａであるため、床梁１の鉛直荷重に対する強度が大きくなり、床梁１が撓みにくくなる。さらに、木材１ｂはＩ形鋼１１ａに予め固定されているため、現場での作業効率が良くなる。
【００３６】
また、床梁１は基礎と基礎との間に架設されているため、床梁１及び建築用床パネル２が沈下したり傾斜することを防ぐことができる。
【００３７】
なお、以上の実施形態においては、床梁本体をラチス梁１ａ若しくはＩ形鋼１１ａとしたが、本発明はこれに限定されるものではなく、Ｈ形鋼などの他の形鋼でも良い。
また、止着材３をビスとしたが、釘等を用いてもよい。
【図面の簡単な説明】
【００３８】
【図１】本発明に係る床構造の第１の実施形態の構成を示す断面図であり、（ａ）は縦断面図、（ｂ）はＡ−Ａ線における断面図である。
【図２】本発明に係る床構造の第２の実施形態の構成を示す断面図であり、（ａ）は縦断面図、（ｂ）はＢ−Ｂ線における断面図である。
【図３】従来の床構造の構成を示す断面図であり、（ａ）は縦断面図、（ｂ）はＣ−Ｃ線における断面図である。
【符号の説明】
【００３９】
１  床梁
１ａ  ラチス梁
１ｂ  木材
１ｃ  上部フランジ
１ｄ  下部フランジ
２  建築用床パネル
２ａ  面材
２ｂ  枠材
３  止着材
１１ａ  Ｉ形鋼
１１ｃ  上部フランジ
１１ｄ  下部フランジ
【図１】
2006214238.tif 000003
【図２】
2006214238.tif 000004
【図３】
2006214238.tif 000005